(57)【要約】【課題】凍上現象が発生しても側壁部材間に隙間が生じることのない埋設ボックスを提供する。【解決手段】埋設ボックス１の筐体２は、筐体２の側壁部を構成し、かつ互いに上下方向に積み重ねられる上側側壁部材３０及び下側側壁部材２０を少なくとも具備し、上側側壁部材３０及び下側側壁部材２０が上下方向に積み重ねられた状態で、上側側壁部材３０及び下側側壁部材２０の外周面２１，３１同士が実質的に面一となる。【選択図】図１
2018178639.tif 000002
【特許請求の範囲】
【請求項１】
水道管が内部に挿通される筐体を有する埋設ボックスであって、
前記筐体は、
当該筐体の側壁部を構成し、かつ互いに上下方向に積み重ねられる上側側壁部材及び下側側壁部材を少なくとも具備し、
前記上側側壁部材及び前記下側側壁部材が上下方向に積み重ねられた状態で、前記上側側壁部材及び前記下側側壁部材の外周面同士が実質的に面一となる
ことを特徴とする埋設ボックス。
【請求項２】
前記上側側壁部材及び前記下側側壁部材は、
前記筐体の外周面を構成する外壁部と、
前記筐体の内周面を構成し、かつ前記外壁部から離間して形成されている内壁部と、
をそれぞれ備え、
前記上側側壁部材及び前記下側側壁部材が上下方向に積み重ねられた状態で、前記上側側壁部材の前記外壁部の最下端と前記下側側壁部材の前記外壁部の最上端とが突き合わされている
請求項１に記載の埋設ボックス。
【請求項３】
前記上側側壁部材における内壁部の下端部には、
前記上側側壁部材及び前記下側側壁部材が上下方向に積み重ねられた状態で、前記下側側壁部材の内壁部によって構成される内周面の上端部に沿って下向きに延出形成されたガイド部が設けられている
請求項２に記載の埋設ボックス。
【請求項４】
前記上側側壁部材は、前記外壁部と前記内壁部とを繋ぐリブを備えており、
前記上側側壁部材及び前記下側側壁部材が上下方向に積み重ねられた状態で、前記上側側壁部材におけるリブの下端が、前記下側側壁部材の上端に当接している
請求項２又は請求項３に記載の埋設ボックス。
【請求項５】
前記下側側壁部材の上端部には、上向きに突出する凸部が形成されており、
前記上側側壁部材及び前記下側側壁部材が上下方向に積み重ねられた状態で、前記上側側壁部材における外壁部と内壁部との間に形成された空隙部に前記凸部が適嵌している
請求項２乃至請求項４のいずれか１項に記載の埋設ボックス。
【請求項６】
前記筐体は、
前記筐体における上端部から下端部にかけて横幅寸法が実質的に同一な寸胴形状である
請求項１乃至請求項５のいずれか１項に記載の埋設ボックス。
【発明の詳細な説明】
【技術分野】
【０００１】
本発明は、量水器あるいは止水栓等の機器が収容される埋設ボックスに関する。
【背景技術】
【０００２】
従来、水道管に取り付けられる量水器あるいは止水栓等の機器が収容される埋設ボックスにおいては、水道管の様々な深さに対応すべく、複数の側壁部材を上下方向に積み重ね可能として、高さを調節できるようにした構成が採用されているものがある（例えば、特許文献１参照）。
【０００３】
ここで、このような埋設ボックスにあって、例えば図８に示すように、下側の側壁部材１２０の壁部上端に、上側の側壁部材１３０の壁部下端を被せるようにして側壁部材１２０，１３０を上下に積み重ね可能とした構造とすることにより、側壁部材１２０，１３０同士を、位置ずれなく容易に積み上げていくことが可能となるものがある。
【先行技術文献】
【特許文献】
【０００４】
【特許文献１】特開２０１３−１００７０８号公報
【発明の概要】
【発明が解決しようとする課題】
【０００５】
しかしながら、上記した従来構成にあっては、図８に示すように、上側側壁部材１３０の下端が下側側壁部材１２０の外周面に対してわずかに地中側へ突き出てしまう。このため、寒冷地においていわゆる凍上という現象が発生した場合に、当該突出部分が周囲の土砂に持ち上げられることで両側壁部材の間に隙間ができてしまい、そこから土砂や虫等が埋設ボックス内に入ってきてしまうという問題を招く。
【０００６】
そこで本発明は、仮に凍上現象が発生しても周りの土砂等が内部に入ってしまうことを防止できる埋設ボックスを提供することを目的とする。
【課題を解決するための手段】
【０００７】
本発明は、水道管が内部に挿通される筐体を有する埋設ボックスであって、前記筐体は、筐体の側壁部を構成し、かつ互いに上下方向に積み重ねられる上側側壁部材及び下側側壁部材を少なくとも具備し、前記上側側壁部材及び前記下側側壁部材が上下方向に積み重ねられた状態で、前記上側側壁部材及び前記下側側壁部材の外周面同士が実質的に面一となることを特徴とする埋設ボックスである。
【０００８】
かかる構成にあっては、使用状態における前記上側側壁部材及び前記下側側壁部材において、土砂側へ突出した部分がないため、上述した凍上現象が発生しても側壁部材が持ち上げられて両側壁部材間に隙間が生じるということがない。ここで、「実質的に面一」とは、厳密に面一である必要はなく、凍上現象による問題が発生しない程度に面一であればよいという趣旨である。換言すれば、上側側壁部材の外周面が、下側側壁部材の外周面よりも水平方向へ突出しない範囲であれば凍上現象による問題が発生しないため、実質的に面一と解される。一方、上側側壁部材の外周面が、下側側壁部材の外周面よりも水平方向へ突出してしまうと凍上による悪影響が生じる。例えば、前記側壁部材における左右方向の外寸が、いわゆるＪＩＳ  Ｂ  ０４０５の粗級に対応する寸法公差の範囲内であれば実質的に面一であると解釈しうる。具体的には、前記側壁部材における左右方向の外寸（長手方向の外寸）の相対誤差が２％以下であればよく、さらに好ましいのは、１％以下である。
【０００９】
また、前記上側側壁部材及び前記下側側壁部材は、前記筐体の外周面を構成する外壁部と、前記筐体の内周面を構成し、かつ前記外壁部から離間して形成されている内壁部と、をそれぞれ備え、前記上側側壁部材及び前記下側側壁部材が上下方向に積み重ねられた状態で、前記上側側壁部材の前記外壁部の最下端と前記下側側壁部材の前記外壁部の最上端とが突き合わされている構成が提案される。
【００１０】
かかる構成にあっては、前記外壁部と前記内壁部との間に空隙が形成されるため、この空隙によって断熱効果が得られる。また、前記上側側壁部材の前記外壁部の最下端と前記下側側壁部材の前記外壁部の最上端とが突き合わされることによって、前記上側側壁部材と前記下側側壁部材との境界部分で間隙が生じない。このため、筐体内部に冷気が進入しにくくなる。
【００１１】
上記構成にあって、前記上側側壁部材における内壁部の下端部には、前記上側側壁部材及び前記下側側壁部材が上下方向に積み重ねられた状態で、前記下側側壁部材の内壁部によって構成される内周面の上端部に沿って下向きに延出形成されたガイド部が設けられていることが望ましい。
【００１２】
かかる構成にあっては、側壁部材同士を積み重ねる際に、前記ガイド部が前記内周面に沿って案内されることにより積み重ね時の作業性が大幅に向上する。また、側壁部材同士が積み重ねられた状態で、前記ガイド部が前記内周面に当接することで上側側壁部材の左右方向における位置が下側側壁部材に対して位置決めされることになり、前記上側側壁部材及び前記下側側壁部材の外周面同士が実質的に面一となっている状態を確保できる。
【００１３】
また、前記上側側壁部材には、前記外壁部と前記内壁部とを繋ぐリブが設けられており、前記上側側壁部材及び前記下側側壁部材が上下方向に積み重ねられた状態で、前記上側側壁部材におけるリブの下端が、前記下側側壁部材の上端に当接していることが望ましい。
【００１４】
かかる構成とすることにより、前記上側側壁部材を前記下側側壁部材の上に安定して載置することができる。また、前記外壁部と前記内壁部との間の空隙をリブによって区画形成することで冷気が前記上側側壁部材全体に広がってしまうことを防止できる。さらに前記上側側壁部材が土圧によって変形することを防止する効果もある。
【００１５】
さらに、前記下側側壁部材の上端部には、上向きに突出する凸部が形成されており、前記上側側壁部材及び前記下側側壁部材が上下方向に積み重ねられた状態で、前記上側側壁部材における外壁部と内壁部との間に形成された空隙部に前記凸部が適嵌していることが望ましい。
【００１６】
かかる構成とすることにより、前記上側側壁部材及び前記下側側壁部材同士の左右方向のずれをさらに効果的に防止することができる。
【００１７】
さらに、前記筐体は、前記筐体における上端部から下端部にかけて横幅寸法が実質的に同一な寸胴形状である構成が望ましい。
【００１８】
かかる構成とすることにより、筐体の外観形状において下方に向かうほど巾寸法が大きくなるような部分がないため、掘削範囲が限定的となって施工コストが抑えられる。
【発明の効果】
【００１９】
本発明の埋設ボックスは、仮に凍上現象が発生しても側壁部材が持ち上げられて隙間が生じない優れた効果がある。
【図面の簡単な説明】
【００２０】
【図１】実施例にかかる埋設ボックスを示し、（ａ）は正面図であり、（ｂ）は側面図である。
【図２】実施例にかかる埋設ボックスの平面図である。
【図３】図１(ａ)におけるＡ−Ａ線断面図である。
【図４】図２におけるＢ−Ｂ線断面図である。
【図５】（ａ）は上側側壁部材と下側側壁部材との境界部分を示す部分拡大縦断面図であり、（ｂ）は前記境界部分におけるリブを示す部分拡大縦断面図である。
【図６】（ａ）は前記境界部分における凸部を示す部分拡大縦断面図であり、（ｂ）は（ａ）のＣ−Ｃ線断面図である。
【図７】他の実施例にかかる埋設ボックスの使用状態を示す説明図である。
【図８】従来の埋設ボックスにおける上側側壁部材と下側側壁部材との境界部分を示す部分拡大縦断面図である。
【発明を実施するための形態】
【００２１】
以下、本発明の埋設ボックスを具体化した実施例を詳細に説明する。なお、本発明は、下記に示す実施例に限定されることはなく、適宜設計変更が可能である。
【００２２】
埋設ボックス１は、図１〜図４に示すように、平面視でほぼ四角形状の筐体２を備えている。
【００２３】
また、筐体２は、一番下に配される底板部材１０と、底板部材１０の上側に配されたほぼ四角筒形状の下側側壁部材２０と、下側側壁部材２０の上側に積み重ねられたほぼ四角筒形状の上側側壁部材３０と、一番上に配される天板部材４０とで構成されている。
【００２４】
そして、図２に示すように、天板部材４０には、上下方向に貫通した開口部４１が設けられており、開口部４１を開放又は遮蔽する蓋体５０が軸支されている。
【００２５】
なお、少なくとも下側側壁部材２０と上側側壁部材３０とによって筐体２の側壁部４が構成されている。
【００２６】
さらに筐体２について、以下、詳述する。
【００２７】
図１（ｂ）に示すように、底板部材１０及び下側側壁部材２０における対向する２箇所の側壁には、それぞれ孔部が形成されており、当該孔部によって水道管Ｐが挿通される水道管挿通孔部５が構成されている。
【００２８】
また、図３に示すように、筐体２の内部空間３であって、挿通された水道管Ｐの上方となる位置には、冷気を遮断する中蓋部材６０が取り付けられている。また、筐体２の側壁部４は、二重壁構造となっている。
【００２９】
具体的には、下側側壁部材２０は、図４，図５（ａ）に示すように、外壁部を構成する下側外壁部２３と、内壁部を構成する下側内壁部２４とを備えている。ここで、下側内壁部２４は、下側外壁部２３から離間して形成されており、下側内壁部２４と下側外壁部２３との間には下側空隙部Ｓ２が形成されている。
【００３０】
また、下側側壁部材２０の上端部には、図６（ａ），（ｂ）に示すように、上向に突出する横断面視で角を丸く面取りしたほぼ四角形状の凸部２５が形成されている。
【００３１】
なお、筐体２の外周面４ａは、下側外壁部２３によって構成されている下側外周面２１と共に、下側内壁部２４によって構成されている下側内周面２２とを有している。
【００３２】
同様に、上側側壁部材３０は、図４に示すように、外壁部を構成する上側外壁部３３と、内壁部を構成する上側内壁部３４とを備えている。ここで、上側内壁部３４は、上側外壁部３３から離間して形成されており、上側内壁部３４と上側外壁部３３との間には上側空隙部Ｓ３が形成されている。
【００３３】
さらに、図５（ａ）等に示すように、上側側壁部材３０における上側内壁部３４の下端部には、下向きに延出形成されたガイド部３５が設けられている。
【００３４】
また、図５（ｂ）等に示すように、上側側壁部材３０における上側外壁部３３と上側内壁部３４との間には、上側外壁部３３と上側内壁部３４とを繋ぐように上下方向に延在したリブ３６が複数設けられている。これにより、上側空隙部Ｓ３は、横断面視の形状が互いに異なる分割空隙部Ｓ３１〜Ｓ３４に区画形成されている。
【００３５】
なお、筐体２の外周面４ａは、上側外壁部３３によって構成されている上側外周面３１と共に、上側内壁部３４によって構成されている上側内周面３２とを有している。
【００３６】
また、図１に示すように、筐体２にあっては、上端部の横幅寸法と、下端部の横幅寸法とがほぼ同一となっており、筐体２における上端部から下端部にかけて横幅寸法が実質的に同一な寸胴形状となっている。
【００３７】
上述した構成の埋設ボックス１において、上側側壁部材３０及び下側側壁部材２０が上下方向に積み重ねられた状態では、図４及び図５（ａ）に示すように、上側側壁部材３０の上側外壁部３３の最下端と下側側壁部材２０の下側外壁部２３の最上端とが突き合わされている。
【００３８】
また、このように側壁部４を構成する上側側壁部材３０及び下側側壁部材２０が上下方向に積み重ねられた状態では、上側側壁部材３０の上側外周面３１と、下側側壁部材２０の下側外周面２１とが実質的に面一となっている。
【００３９】
また、上側側壁部材３０及び下側側壁部材２０が上下方向に積み重ねられた状態では、上側側壁部材３０のガイド部３５が、下側側壁部材２０の下側内周面２２の上端部に沿って配置される。
【００４０】
さらに、上側側壁部材３０及び下側側壁部材２０が上下方向に積み重ねられた状態では、図５（ｂ）に示すように、上側側壁部材３０におけるリブ３６の下端が、下側側壁部材２０の上端に当接している。
【００４１】
また、上側側壁部材３０及び下側側壁部材２０が上下方向に積み重ねられた状態では、図６（ａ），（ｂ）に示すように、下側側壁部材２０の凸部２５が、上側側壁部材３０の分割空隙部Ｓ３１に適嵌している。なお、分割空隙部Ｓ３１は凸部２５の横断面形状に対応した横断面形状の空隙によって構成されている。
【００４２】
本実施例の埋設ボックス１にあっては、実質的に面一となっている上側外周面３１と下側外周面２１とによって筐体２の外周面４ａが構成されているため、凍上現象が発生した際に上側側壁部材３０が持ち上げられてしまうことがない。また、埋設ボックス１の全体形状が寸胴形状であるため、掘削範囲が限定的となり、施工コストが抑えられる。
【００４３】
また、上側側壁部材３０の上側外壁部３３の最下端と下側側壁部材２０の下側外壁部２３の最上端とが突き合わされているために、上側側壁部材３０と下側側壁部材２０との境界部分から筐体２内部に冷気が進入しにくい構造となっている。
【００４４】
また、下側側壁部材２０及び上側側壁部材３０は、空隙部Ｓ２，Ｓ３を有する二重壁構造であるため、良好な断熱効果が得られる。
【００４５】
また、上側側壁部材３０に設けられたガイド部３５によって、上側側壁部材３０と下側側壁部材２０との左右方向のずれを防止することができるため、上側外周面３１と下側外周面２１とが実質的に面一となっている状態を十分確保することができる。
【００４６】
さらに上側空隙部Ｓ３はリブ３６によって分割空隙部Ｓ３１等に区画形成されているため、冷気が上側側壁部材３０全体に広がってしまうことを防止することができる。加えて、上側側壁部材３０のリブ３６が下側側壁部材２０に当接するため、上側側壁部材３０が下側側壁部材２０の上に安定して載置される。
【００４７】
また、下側側壁部材２０に設けられた凸部２５が分割空隙部Ｓ３１に適嵌することによって、上側側壁部材３０と下側側壁部材２０とのがたつきを防止することができる。
【００４８】
なお、上記した構成にあって、例えば下側側壁部材２０の下側外壁部２３と下側内壁部２４とを繋ぐように上下方向に延在するリブを別途設けても構わない。
【００４９】
また、凸部２５及び分割空隙部Ｓ３１の形状は特に限定されず、例えば横断面視円形状や多角形状であっても構わない。また、その他の分割空隙部Ｓ３２，Ｓ３３，Ｓ３４等の横断面視形状も特に限定されない。
【００５０】
さらに、下側側壁部材２０と上側側壁部材３０との当接部位の構造を、底板部材１０と下側側壁部材２０との当接部位の構造に採用しても構わない。同様に、かかる構造を、上側側壁部材３０と天板部材４０との当接部位の構造に採用しても構わない。
【００５１】
また、下側側壁部材２０及び上側側壁部材３０は、単一の埋設ボックス１に対してそれぞれ複数用いられてもよい。例えば、図７に示したように、下側側壁部材２０を３個使用し、上側側壁部材３０を１個使用して埋設ボックス７０としても構わない。この場合にあっても、筐体７２の外周面７２ａを構成する１個の上側外周面３１と３個の下側外周面２１とが全て面一となるため、凍上現象が発生した際に上側側壁部材３０等が持ち上げられるようなことはない。
【符号の説明】
【００５２】
１，７０                        埋設ボックス
２                              筐体
４                              側壁部
４ａ，７４ａ                    外周面
４ｂ                            内周面
２０                            下側側壁部材
２１                            下側外周面
２２                            下側内周面
２３                            下側外壁部
２４                            下側内壁部
２５                            凸部
３０                            上側側壁部材
３１                            上側外周面
３２                            上側内周面
３３                            上側外壁部
３４                            上側内壁部
３５                            ガイド部
３６                            リブ
Ｐ                              水道管
Ｓ２                            下側空隙部
Ｓ３                            上側空隙部
【図１】
2018178639.tif 000003
【図２】
2018178639.tif 000004
【図３】
2018178639.tif 000005
【図４】
2018178639.tif 000006
【図５】
2018178639.tif 000007
【図６】
2018178639.tif 000008
【図７】
2018178639.tif 000009
【図８】
2018178639.tif 000010